(57)【特許請求の範囲】
【請求項１】
ディスクプレーヤのプリント基板に設けたソケットにコネクタを嵌合することにより、プリント基板上のジッタ検査用テストポイントにコネクタ側端子を当接させるようにしたコネクタ係止装置において、前記コネクタが、コネクタ本体と、該コネクタ本体内に一定範囲内出退可能に挿入されたスライダとを有し、該スライダを突出方向に付勢する押圧ばねが設けられ、前記スライダにコネクタ側端子が設けられ、前記コネクタ本体に左右一対のコネクタピンが設けられ、前記ソケットに代えて一対の係止孔が各コネクタピンに対向してプリント基板に貫設され、前記各コネクタピンの先端部に係止片が出没可能に枢着されると共に、該各係止片を連動部材を介して操作するための操作レバーが各コネクタピンの基端部に一定角度内往復回動可能に枢着され、前記各操作レバーに係合して該各操作レバーをロック位置またはロック解除位置に停止させるための押しつけばねが設けられており、各コネクタピンを各係止孔に挿通した後、各操作レバーをロック解除位置からロック位置に変位させることにより連動部材を介して各係止片をコネクタピンの側方に突出させて係止孔の裏面側周縁部に係合させ、前記押圧ばねによりスライダを介してコネクタ側端子をテストポイントに弾性的に当接させるようにしたことを特徴とするコネクタ係止装置。
【請求項２】
プリント基板にコネクタを係止することにより、コネクタ側端子を基板側端子に当接させるようにしたコネクタ係止装置において、先端部に係止片を設けた左右一対のコネクタピンが前記コネクタに突設され、該各コネクタピンに対向してプリント基板に一対の係止孔が貫設され、前記各係止片が各コネクタピンの先端部に出没可能に枢着されると共に、該各係止片を連動部材を介して操作するための操作レバーが各コネクタピンの基端部に一定角度内往復回動可能に枢着され、前記各操作レバーに係合して該各操作レバーをロック位置またはロック解除位置に停止させるための押しつけばねを有しており、前記各コネクタピンを各係止孔に挿通した後、各操作レバーをロック解除位置からロック位置に変位させることにより連動部材を介して各係止片をコネクタピンの側方に突出させて係止孔の裏面側周縁部に係合させ、前記基板側端子をコネクタ側端子に当接させるようにしたことを特徴とするコネクタ係止装置。
【発明の詳細な説明】
【０００１】
【発明の属する技術分野】
本発明は、例えばＤＶＤなどのディスクプレーヤに配置したプリント基板にソケットを用いることなくコネクタを安価且つ簡単な構造で確実に係止することができるようにしたコネクタ係止装置に関する。
【０００２】
【従来の技術】
従来、コネクタ係止装置の技術として実開平６−６００８１号公報などに記載したものがあり、その一例を図９に基づいて説明すると、これは、ＤＶＤなどのディスクプレーヤのプリント基板１に設けたジッタ検査用テストポイント（基板側端子）２を取り囲むようにしてソケット３が設けられ、ジッタ検査機器（図示せず）から延びるコード４の先端に取り付けたコネクタ５にコネクタ側端子６が設けられたものであって、ジッタ検査時には、ソケット３にコネクタ５を嵌合することにより、コネクタ側端子６をテストポイント２に当接させ、ジッタ検査後、コネクタ５をソケット３から引き抜く。
【０００３】
【発明が解決しようとする課題】
上記従来の構成では、ソケット３がジッタ検査のためにだけ用いられ、それ以外では不要な部品であり、また、ソケット３がディスクプレーヤの数だけ必要であって、そのディスクプレーヤの出荷台数が増加すると、それに比例してソケット３も多数必要となるため、コストアップになっている。
【０００４】
本発明は、上記従来の欠点に鑑み、ソケットを用いることなくコネクタをプリント基板に係止するようにしたコネクタ係止装置を提供することを目的としている。
【０００５】
【課題を解決するための手段】
上記目的を達成するため、請求項１に記載の発明は、ディスクプレーヤのプリント基板に設けたソケットにコネクタを嵌合することにより、プリント基板上のジッタ検査用テストポイントにコネクタ側端子を当接させるようにしたコネクタ係止装置において、前記コネクタが、コネクタ本体と、該コネクタ本体内に一定範囲内出退可能に挿入されたスライダとを有し、該スライダを突出方向に付勢する押圧ばねが設けられ、前記スライダにコネクタ側端子が設けられ、前記コネクタ本体に左右一対のコネクタピンが設けられ、前記ソケットに代えて一対の係止孔が各コネクタピンに対向してプリント基板に貫設され、前記各コネクタピンの先端部に係止片が出没可能に枢着されると共に、該各係止片を連動部材を介して操作するための操作レバーが各コネクタピンの基端部に一定角度内往復回動可能に枢着され、前記各操作レバーに係合して該各操作レバーをロック位置またはロック解除位置に停止させるための押しつけばねが設けられており、各コネクタピンを各係止孔に挿通した後、各操作レバーをロック解除位置からロック位置に変位させることにより連動部材を介して各係止片をコネクタピンの側方に突出させて係止孔の裏面側周縁部に係合させ、前記押圧ばねによりスライダを介してコネクタ側端子をテストポイントに弾性的に当接させるようにしたことを特徴としている。
【０００６】
上記構成によれば、各コネクタピンを各係止孔に挿通した後、各操作レバーをロック解除位置からロック位置に変位させるだけで、各係止片を係止孔の裏面側周縁部に係合させて、コネクタをプリント基板に係止することができると共に、前記操作レバーをロック解除位置に変位させるだけで、コネクタをプリント基板から簡単に離脱させることができ、そのコネクタの係脱操作に従来用いていたソケットが不要であるから、その不要となった分だけ構造が簡単になり製作費が安くつく。
【０００７】
ここで、ソケットを省略した分だけコネクタの構造が複雑になるが、ソケットがジッタ検査のためにだけ用いられ、それ以外では不要な部品であり、ディスクプレーヤの数だけ多数必要であるのに対して、コネクタは、ジッタ検査に繰り返し使用され、ジッタ検査機器にから延びるコードの先端に１つ取り付けられているだけであるから、コネクタの構造が複雑になることによるコストアップに比べてソケットを省略することによるコストダウンの効果の方が大きく、経済的である。
【０００８】
また、プリント基板にコネクタを係止してコネクタ側端子をテストポイントに押しつけると、スライダがコネクタ本体内に後退されて押圧ばねが圧縮され、その圧縮により生じた押圧力によりコネクタ側端子がテストポイントに弾性的に当接されるので、そのコネクタ側端子とテストポイントとを確実に導通させることができる。
【０００９】
請求項２に記載の発明は、プリント基板にコネクタを係止することにより、コネクタ側端子を基板側端子に当接させるようにしたコネクタ係止装置において、先端部に係止片を設けた左右一対のコネクタピンが前記コネクタに突設され、該各コネクタピンに対向してプリント基板に一対の係止孔が貫設され、前記各係止片が各コネクタピンの先端部に出没可能に枢着されると共に、該各係止片を連動部材を介して操作するための操作レバーが各コネクタピンの基端部に一定角度内往復回動可能に枢着され、前記各操作レバーに係合して該各操作レバーをロック位置またはロック解除位置に停止させるための押しつけばねを有しており、前記各コネクタピンを各係止孔に挿通した後、各操作レバーをロック解除位置からロック位置に変位させることにより連動部材を介して各係止片をコネクタピンの側方に突出させて係止孔の裏面側周縁部に係合させ、前記基板側端子をコネクタ側端子に当接させるようにしたことを特徴としている。
【００１０】
上記構成によれば、各コネクタピンを各係止孔に挿通した後、各操作レバーをロック解除位置からロック位置に変位させるだけで、各係止片を係止孔の裏面側周縁部に係合させて、コネクタをプリント基板に係止することができると共に、前記操作レバーをロック解除位置に変位させるだけで、コネクタをプリント基板から簡単に離脱させることができ、そのコネクタの係脱操作に従来用いていたソケットが不要であるから、その不要となった分だけ構造が簡単になり製作費が安くつく。
【００１１】
【発明の実施の形態】
図１及び図２は本発明の第１の参考例であるコネクタ係止装置を示すものであって、ジッタ検査機器（図示せず）から延びるコード４の先端に取り付けたコネクタ５の基板対向面に、コネクタ側端子６を間に挟んで左右一対のコネクタピン８が突設され、該各コネクタピン８の先端部外周面に略直角三角形状係止片９が互いに逆向きに設けられ、該各コネクタピン８に対向してプリント基板１に一対の係止孔１０が貫設されている。
【００１２】
上記構成において、ジッタ検査時には、コネクタ５を把持して各コネクタピン８を各係止孔１０に挿通すればよい。これにより、各係止片９が各係止孔１０に強制的に押し込まれ、その各係止片９の水平状上面を各係止孔１０の裏面側周縁部に係合させることにより、コネクタ側端子６がテストポイント２に当接される（図２実線参照）。ジッタ検査後は、コネクタ５を把持して引っ張ることにより、各コネクタピン８を係止孔１０から引き抜けばよい。
【００１３】
上記構成によれば、コネクタ５の係脱操作に従来用いていたソケット３（図９参照）が不要であるから、その不要となった分だけ構造が簡単になり製作費が安くつく。
【００１４】
ここで、ソケット３を省略した分だけコネクタ５の構造が複雑になるが、ソケット３がジッタ検査のためにだけ用いられ、それ以外では不要な部品であり、ディスクプレーヤの数だけ多数必要であるのに対して、コネクタ５は、ジッタ検査に繰り返し使用され、ジッタ検査機器にから延びるコード４の先端に１つ取り付けられているだけであるから、コネクタ５の構造が複雑になることによるコストアップに比べてソケット３を省略することによるコストダウンの効果の方が大きく、経済的である。
【００１５】
図３は本発明の第２の参考例を示すものであって、テストポイント２が略コ字状に形成され、その両端部２ａがプリント基板１を貫通してプリント配線に半田付け１２され、その中央部２ｂに凸状弯曲部１３を形成することにより、該中央部２ｂが弾性変形可能に形成されている。上記以外の構成は図１及び図２に示す構成とほぼ同一であるから、同一部分に同一符号を付してその説明を省略する。
【００１６】
上記構成によれば、プリント基板１にコネクタ５を係止してコネクタ側端子６をテストポイント２に押しつけると、そのテストポイント２が弾性変形されてコネクタ側端子６に押しつけられるので、その両端子２，６どうしを確実に導通させることができる。
【００１７】
図４は本発明の実施の一形態の要部を示すものであって、コネクタ５が、左右一対のコネクタピン８を突設したコネクタ本体５ａと、該コネクタ本体５ａの凹部１４内に挿入されたスライダ５ｂとを有し、該スライダ５ｂの後端部に設けた突起部１５を凹部１４の内側面に形成したスリット１６に嵌入させることにより、スライダ５ｂが矢印ａ，ｂ方向に一定範囲内出退可能に形成され、該スライダ５ｂと凹部１４の底面との間にそのスライダ５ｂを突出方向ａに付勢する押圧ばね１７が設けられている。上記以外の構成は図１及び図２に示す構成とほぼ同一であるから、同一部分に同一符号を付してその説明を省略する。
【００１８】
上記構成によれば、プリント基板１にコネクタ本体５ａを係止してコネクタ側端子６をテストポイント２に押しつけると、スライダ５ｂがコネクタ本体５ａ内に後退ｂされて押圧ばね１７を圧縮し、その押圧ばね１７の圧縮により生じた押圧力によりコネクタ側端子６がテストポイント２に弾性的に押しつけられるので、その両端子２，６どうしを確実に導通させることができる。
【００１９】
図５は本発明の第３の参考例であるコネクタ係止装置を示すものであって、図１及び図２に示すコネクタ５を基本形態とし、そのコネクタ５に設けた各コネクタピン８がその軸心Ｏ回りで回転可能に形成され、該各コネクタピン８の基端部を略直角に折曲して操作部１９が形成され、各コネクタピン８の先端部に設けた各係止片９に対向して各係止孔１０に凹溝２０が一体形成されている。
【００２０】
上記構成によれば、図５（ａ）に示す状態から、各コネクタピン８を各係止孔１０に挿通すると共に、各係止片９を各凹溝２０に挿通した後〔図５（ｂ）（ｃ）参照〕、操作部１９を把持して各コネクタピン８を所定角度回転させるだけで、図５（ｄ）に示すように、各係止片９を各係止孔１０の裏面側周縁部に係合させて、コネクタ５をプリント基板１に係止することができる。また、その逆の手順でコネクタ５をプリント基板１から簡単に離脱させることができ、そのコネクタ５の係脱操作に従来用いていたソケット３（図９参照）が不要であるから、その不要となった分だけ構造が簡単になり製作費が安くつく。
【００２１】
図６から図８は本発明の実施の一形態であるコネクタ係止装置を示すものであって、図１及び図２に示すコネクタ５を基本形態とし、そのコネクタ５に固着した各コネクタピン８が有底円筒状に形成され、該各コネクタピン８内の先端部に係止片９が枢着軸２２を介して回動可能に枢着されると共に、該各係止片９に対向して各コネクタピン８の先端部外周面に開口部２３が開設され、前記各係止片９の前端部９ａを重くすることにより、該各係止片９が通常は起立してコネクタピン８内に没入されている（図７実線参照）。また、前記各コネクタピン８の基端部に一体形成したボックス２４内に操作レバー２５が枢着軸２６を介して一定角度内往復回動可能に形成されると共に、該操作レバー２５の先端部がボックス２４の開口部２４ｂを通って外方に突出され、操作レバー２５の基端部とボックス２４のフック２４ａとの間に張設されてその操作レバー２５をロック位置Ａまたはロック解除位置Ｂに停止させるための押しつけばね２７が設けられ、前記各コネクタピン８内に移動可能に挿入されて前記各係止片９の後端部９ｂに対向するプランジャ２８ａと該プランジャ２８ａを操作レバー２５に連結ピン２９を介して連結するロッド２８ｂとからなる連結部材２８が設けられている。
【００２２】
上記構成によれば、図６及び図７に示す状態から、各コネクタピン８を各係止孔１０に挿通した後、各操作レバー２５を押し下げてロック解除位置Ｂからロック位置Ａに変位させるだけで、連結部材２８のプランジャ２８ａにより各係止片９の後端部９ｂが押し下げられることにより、該各係止片９の先端部９ａが開口部２３を通って各コネクタピン８の側方に突出されて各係止孔１０の裏面側周縁部に係合され（図８参照）、コネクタ５をプリント基板１に係止することができる。また、前記操作レバー２５をロック解除位置Ｂに変位させるだけで、コネクタ５をプリント基板１から簡単に離脱させることができ、そのコネクタ５の係脱操作に従来用いていたソケット３が不要であるから、その不要となった分だけ構造が簡単になり製作費が安くつく。
【００２３】
【発明の効果】
請求項１に記載の発明によれば、各コネクタピンを各係止孔に挿通した後、各操作レバーをロック解除位置からロック位置に変位させるだけで、各係止片を係止孔の裏面側周縁部に係合させて、コネクタをプリント基板に係止することができると共に、前記操作レバーをロック解除位置に変位させるだけで、コネクタをプリント基板から簡単に離脱させることができ、そのコネクタの係脱操作に従来用いていたソケットが不要であるから、その不要となった分だけ構造が簡単になり製作費が安くつく。
【００２４】
ここで、ソケットを省略した分だけコネクタの構造が複雑になるが、ソケットがジッタ検査のためにだけ用いられ、それ以外では不要な部品であり、ディスクプレーヤの数だけ多数必要であるのに対して、コネクタは、ジッタ検査に繰り返し使用され、ジッタ検査機器にから延びるコードの先端に１つ取り付けられているだけであるから、コネクタの構造が複雑になることによるコストアップに比べてソケットを省略することによるコストダウンの効果の方が大きく、経済的である。
【００２５】
また、プリント基板にコネクタを係止してコネクタ側端子をテストポイントに押しつけると、スライダがコネクタ本体内に後退されて押圧ばねが圧縮され、その圧縮により生じた押圧力によりコネクタ側端子がテストポイントに弾性的に当接されるので、そのコネクタ側端子とテストポイントとを確実に導通させることができる。
【００２６】
請求項２に記載の発明にによれば、各コネクタピンを各係止孔に挿通した後、各操作レバーをロック解除位置からロック位置に変位させるだけで、各係止片を係止孔の裏面側周縁部に係合させて、コネクタをプリント基板に係止することができると共に、前記操作レバーをロック解除位置に変位させるだけで、コネクタをプリント基板から簡単に離脱させることができ、そのコネクタの係脱操作に従来用いていたソケットが不要であるから、その不要となった分だけ構造が簡単になり製作費が安くつく。
【図面の簡単な説明】
【図１】本発明の第１の参考例であるコネクタ係止装置を示す斜視図である。
【図２】同一部切欠き正面図である。
【図３】本発明の第２の参考例を示す一部切欠き拡大側面図である。
【図４】本発明の実施の一形態の要部を示す拡大縦断面図である。
【図５】（ａ）は本発明の第３の参考例であるコネクタ係止装置を示す斜視図、（ｂ）は同一部切欠き拡大正面図、（ｃ）はＣ−Ｃ矢視図、（ｄ）は要部の水平断面図である。
【図６】本発明の実施の一形態であるコネクタ係止装置を示す斜視図である。
【図７】同ロック解除状態の要部の拡大縦断面図である。
【図８】同ロック状態の要部の拡大縦断面図である。
【図９】従来例を示す斜視図である。
【符号の説明】
１        プリント基板
２        テストポイント（基板側端子）
３        ソケット
５        コネクタ
５ａ      コネクタ本体
５ｂ      スライダ
６        コネクタ側端子
８        コネクタピン
９        係止片
１０      係止孔
１７      押圧ばね
２０      凹溝
２５      操作レバー
２７      押しつけばね
２８      連結部材
Ｏ        コネクタピンの軸心
Ａ        ロック位置
Ｂ        ロック解除位置
【図１】
0003622912.tif 000002
【図２】
0003622912.tif 000003
【図３】
0003622912.tif 000004
【図４】
0003622912.tif 000005
【図５】
0003622912.tif 000006
【図６】
0003622912.tif 000007
【図７】
0003622912.tif 000008
【図８】
0003622912.tif 000009
【図９】
0003622912.tif 000010